(57)【特許請求の範囲】
【請求項１】
多数の孔が所定間隔で配列された多孔板にワイヤハーネスの組立用治具を固定する多孔板用固定具であって、
前記孔に挿通され、前記孔を通して多孔板の背面に突出する脚部を有する本体と、該本体に設けられ、前記組立用治具の底部に設けられた固定片を押圧して前記組立用治具を前記多孔板に押圧することにより、前記組立用治具を多孔板に立設させる押圧部材とを備え、
前記脚部の先端部に出没自在に設けられ、前記脚部から突出したときに前記多孔板の背面に係合する係合部材と、前記係合部材を突出方向に付勢する付勢手段と、前記脚部に設けられ、前記付勢手段の付勢力に抗して前記係合部材を前記脚部内に収納する操作部材とを備えたことを特徴とする多孔板用固定具。
【発明の詳細な説明】
【０００１】
【発明の属する技術分野】
本発明は、多孔板用固定具に関し、詳しくは、多数の孔が所定間隔で配列された多孔板にワイヤハーネスの組立用治具を固定する多孔板用固定具に関する。
【０００２】
【従来の技術】
一般に、車両に装着されるワイヤハーネスを組立る際には、多数の孔が所定間隔で配列された多孔板上に立設された組立用治具を用いることが知られており、この組立用治具の中で固定具によって多孔板に固定されたものがある。
【０００３】
従来のこの種の固定具としては、例えば、図３、４に示すようなものがある。図３（ａ）において、１は多孔板であり、この多孔板１には多数の孔１ａが所定間隔で配列されている。この多孔板１には図１（ｂ）に示すように組立用治具２が取付けられるようになっており、この組立用治具２は、支柱３と、支柱３の上部に設けられ、図示しないワイヤハーネスが配線されるＵ字状部材４と、支柱３の下端部に設けられた多孔板１に当接する平板状の固定片５とから構成されている。
【０００４】
一方、図３（ｃ）において、符号６は組立用治具２を多孔板１に固定するための固定具であり、この固定具６はコの字型に形成され、両端部に一対の脚部７が形成された本体８を有している。この脚部７は孔１ａに挿通されるようになっており、この脚部７には孔１ａの背面に係合する係合突起７ａが設けられている。
【０００５】
また、本体８の略中央部にはボルト部材９が螺合されており、このボルト部材９の頭部９ａをレンチ等によって回転させることにより、ボルト部材９は本体８に対して上下方向に移動するようになっている。
【０００６】
このような構成を有する固定具６によって組立用治具２を多孔板１に取付けるには、固定用治具２を多孔板１の任意の位置に位置決めした後、図４に示すように固定具６を固定片５の上部に位置させ、次いで、一対の脚部７を孔１ａに挿通して係合突起７ａを孔１ａの背面に係合させて固定具６を多孔板１に固定する。
【０００７】
次いで、レンチ等によってボルト部材９を回転させると、本体８が上昇して係合突起６が多孔板１の背面に係合するとともにボルト部材９が固定片５を多孔板１側に強固に押圧するため、組立用治具２が多孔板１に取付けられる。
【０００８】
【発明が解決しようとする課題】
このような従来の固定具６にあっては、多孔板１に取付ける際に係合突起７ａが孔１ａに引っ掛かるため、組立用治具２の取付けが面倒であるとともに、多孔板１から取り外す際にも係合突起７ａが引っ掛かるため、組立用治具２の取り外し作業が面倒であり、結果的に組立用治具２の取付け、取り外しに多くの時間を要してしまうという問題があった。
【０００９】
そこで本発明は、固定具を多孔板に簡単に取付け、取り外すことができるようにして組立用治具の取付け、取り外し作業の作業性を向上させることができる多孔板用固定具を提供することを目的としている。
【００１０】
【課題を解決するための手段】
第１の発明は、上記課題を解決するために、多数の孔が所定間隔で配列された多孔板にワイヤハーネスの組立用治具を固定する多孔板用固定具であって、前記孔に挿通され、前記孔を通して多孔板の背面に突出する脚部を有する本体と、該本体に設けられ、前記組立用治具の底部に設けられた固定片を押圧して前記組立用治具を前記多孔板に押圧することにより、前記組立用治具を多孔板に立設させる押圧部材とを備え、前記脚部の先端部に出没自在に設けられ、前記脚部から突出したときに前記多孔板の背面に係合する係合部材と、前記係合部材を突出方向に付勢する付勢手段と、前記脚部に設けられ、前記付勢手段の付勢力に抗して前記係合部材を前記脚部内に収納する操作部材とを備えたことを特徴としている。
【００１１】
その場合、固定具を多孔板に取付け、取り外しする際に、操作部材を操作して付勢手段の付勢力に抗して係合部材を脚部内に収納することにより、係合部材が多孔板の孔に引っ掛かるのを防止して固定具を多孔板に対して簡単に取付け、取り外しすることができる。この結果、組立用治具の取付け、取り外し作業の作業性を向上させることができる。
【００１２】
【発明の実施の形態】
以下、本発明の実施形態を図面に基づいて説明する。
【００１３】
図１、２は本発明に係る多孔板用固定具の一実施形態を示す図である。
【００１４】
まず、構成を説明する。図１、２において、11は多孔板であり、この多孔板11には多数の孔11ａが所定間隔で配列されている。この多孔板11には組立用治具12が取付けられるようになっており、この組立用治具12は、支柱13と、支柱13の上部に設けられ、図示しないワイヤハーネスが配線されるＵ字状部材14と、支柱13の下端部に設けられた多孔板11に当接する平板状の固定片15とから構成されている。
【００１５】
一方、符号16は組立用治具12を多孔板11に固定するための固定具であり、この固定具16はコの字型に形成され、両端部に一対の脚部17が形成された本体18を有している。
【００１６】
本体18の略中央部にはボルト部材（押圧部材）19が螺合されており、このボルト部材19の頭部19ａをレンチ等によって回転させることにより、ボルト部材19は本体18に対して上下方向に移動するようになっている。
【００１７】
また、脚部17内にはそれぞれ三角形状の係合突起（係合部材）20が内蔵されており、この係合突起20は３角のうちの１角が脚部17に揺動自在に取付けられているとともに、他の１角がリンク21の一端部に揺動自在に取付けられている。このリンク21の他端部は棒状部材22の他端部に揺動自在に取付けられており、この棒状部材22は先端部には脚部17の上端部に突出する釦23が設けられている。
【００１８】
また、釦23と脚部17内に設けられた仕切板17ａの間にはスプリング部材（付勢部材）24が縮設されており、このスプリング部材24は釦23を上方に押圧している。
【００１９】
したがって、釦23を押下しない状態にあるときには釦23がスプリング部材24に付勢されて棒状部材22が上方に移動するため、リンク21を介して係合突起20が脚部17から突出する位置に移動し、釦23を押下すると、棒状部材22がスプリング部材24の付勢力に抗して下方に移動し、リンク21を介して係合突起20が脚部17に収納される。
【００２０】
なお、本実施形態では、リンク21、棒状部材22および釦23が操作部材を構成している。
【００２１】
次に、作用を説明する。
【００２２】
固定具16によって組立用治具12を多孔板11に取付けるには、まず、固定用治具12を多孔板11の任意の位置に位置決めする。次いで、釦23を押下して係合突起20を脚部17に収納した状態で脚部17を孔11ａに挿通した後、釦23の押下を解除する。このとき、スプリング部材24に付勢されて係合突起20が脚部17から突出して多孔板11の背面に位置する。
【００２３】
次いで、レンチ等によってボルト部材19を一方向に回転させると、本体18が上昇して係合突起20が多孔板11の背面に係合するとともにボルト部材19が固定片15を多孔板11側に強固に押圧するため、組立用治具12が多孔板１に取付けられる。
【００２４】
また、組立用治具12を多孔板11から取り外すには、釦23を押下して係合突起20を脚部17に収納した状態で脚部17を孔11ａから抜く。このため、固定具16による組立用治具12の押圧が解除され、組立用治具12を多孔板11から取り外すことができる。
【００２５】
このように本実施形態では、固定具16を多孔板11に取付け、取り外しする際に、釦23を押下してスプリング部材24の付勢力に抗して係合突起20を脚部17内に収納することにより、係合突起20が多孔板11の孔11ａに引っ掛かるのを防止して固定具16を多孔板11に対して簡単に取付け、取り外しすることができる。この結果、組立用治具12の取付け、取り外し作業の作業性を向上させることができる。
【００２６】
【発明の効果】
本発明によれば、固定具を多孔板に取付け、取り外しする際に、操作部材を操作して付勢手段の付勢力に抗して係合部材を脚部内に収納することにより、係合部材が多孔板の孔に引っ掛かるのを防止して固定具を多孔板に対して簡単に取付け、取り外しすることができる。この結果、組立用治具の取付け、取り外し作業の作業性を向上させることができる。
【図面の簡単な説明】
【図１】本発明に係る多孔板用固定具の一実施形態を示す図であり、（ａ）はその多孔板の外観図、（ｂ）は組立用治具を多孔板に取付けた状態を示すその正面図である。
【図２】（ａ）は一実施形態の固定具の外観図、（ｂ）は固定具の脚部の内部を示す図である。
【図３】（ａ）は多孔板の外観図、（ｂ）は組立用治具の外観図、（ｃ）は従来の固定具の外観図である。
【図４】従来の固定具によって組立用治具を多孔板に取付けた状態を示す図である。
【符号の説明】
11    多孔板
11ａ    孔
12    組立用治具
15    固定片
16    固定具
17    脚部
18    本体
19    ボルト部材（押圧部材）
20    係合突起（係合部材）
21    リンク（操作部材）
22    棒状部材（操作部材）
23    釦（操作部材）
24    スプリング部材（付勢部材）
【図１】
0003707377.tif 000002
【図２】
0003707377.tif 000003
【図３】
0003707377.tif 000004
【図４】
0003707377.tif 000005